(57)【要約】【課題】  余長部分に機能部品を有する光ファイバ心線を捻ることなく容易に収納することのできる光ファイバ余長収納ケースおよび光ファイバ余長の収納方法を提供する。【解決手段】機能部品２１を取付ける機能部品収納部３０Ａと、機能部品収納部３０Ａに隣接して余長部２２を収納する余長部収納部４０とを有し、余長部収納部４０に、余長部２２の長手方向中央部分２２ａを引っ掛ける突起５１を備えて回転する巻取手段５０Ａが設けられている。従って、機能部品２１を機能部品収納部３０Ａに取付けて、この機能部品収納部３０Ａに隣接して設けられている余長部収納部４０に余長部２２を収納する。この際、余長部２２の長手方向中央部分２２ａを巻取手段５０Ａの突起５１に引っ掛け、巻取手段５０Ａを回転させることにより余長部２２を収納するので、余長部２２を捻ることなく容易に収納することができる。【選択図】  図１
2005070578.tif 000002
【特許請求の範囲】
【請求項１】
機能部品に接続されている光ファイバ心線の余長部を収納する光ファイバ余長収納ケースであって、
前記機能部品を取付ける機能部品収納部と、
前記機能部品収納部に隣接して前記余長部を収納する余長部収納部とを有し、
前記余長部収納部に、前記余長部の長手方向中央部分を引っ掛ける突起を備えて回転する巻取手段が設けられていることを特徴とする光ファイバ余長収納ケース。
【請求項２】
前記突起が２個以上設けられるとともに当該突起の外径が前記光ファイバ心線の許容曲げ半径よりも大きいことを特徴とする請求項１に記載した光ファイバ余長収納ケース。
【請求項３】
機能部品に接続されている光ファイバ心線の余長部を収納する光ファイバ余長収納ケースであって、
前記機能部品を収納する機能部品収納部を有するとともに、その外側に前記余長部を巻きつけて収納する余長部収納部を備えた巻取手段を回転可能に設けたことを特徴とする光ファイバ余長収納ケース。
【請求項４】
前記巻取手段が円柱状であって直径方向に前記機能部品が嵌合する前記機能部品収納部が設けられていることを特徴とする請求項３に記載した光ファイバ余長収納ケース。
【請求項５】
前記巻取手段に取っ手が設けられていることを特徴とする請求項１または請求項３に記載した光ファイバ余長収納ケース。
【請求項６】
前記余長部収納部に、前記巻取手段により巻き取られた余長部の跳び出しを防止する光ファイバ押えが設けられていることを特徴とする請求項１または請求項３に記載した光ファイバ余長収納ケース。
【請求項７】
前記巻取手段が、逆回転を所定のトルクで防止する緩み防止手段を有することを特徴とする請求項１から請求項６のいずれか１項に記載した光ファイバ余長収納ケース。
【請求項８】
機能部品に接続されている光ファイバ心線の余長部を収納する光ファイバ余長の収納方法であって、
前記機能部品を機能部品収納部に固定し、前記機能部品の一方または他方の側に接続されている前記余長部の中間を巻取手段の突起に引っ掛け、前記巻取手段を回転させて前記余長部を２重で巻き取ることを特徴とする光ファイバ余長の収納方法。
【請求項９】
機能部品に接続されている光ファイバ心線の余長部を収納する光ファイバ余長の収納方法であって、
前記機能部品を円柱状の巻取手段に取付け、前記巻取手段を回転させて外周に前記余長部を巻き取って収納することを特徴とする光ファイバ余長の収納方法。
【発明の詳細な説明】
【技術分野】
【０００１】
本発明は光ファイバ余長収納ケースおよび光ファイバ余長の収納方法に係り、例えば連結器により連結された光ファイバ心線の余長部を収納することができる光ファイバ余長収納ケースおよび光ファイバ余長の収納方法に関する。
【背景技術】
【０００２】
従来より、連結部を有する光ファイバ心線の余長を収納する光ファイバ余長収納ケースとしては図７に示すようなものが知られている（例えば特許文献１参照）。
図７に示すように、この光ファイバ余長収納ケース１００は、底板１０１と、底板１０１の長手方向両サイドに対向して設けられている側板１０２と、側板１０２の両端に設けられた円弧状の端板１０３により箱状に形成されている。この箱状に形成されている余長収納ケース１００の上方の側板１０２の両端と円弧状の端板１０３の交差部分に光ファイバ心線１２０の心線導入部１０４が設けられている。心線導入部１０４の余長収納ケース１００の内側には、円弧状の端板１０３から余長収納ケース１００の内部側に延長した状態に分離ガイド１０５が設けられている。分離ガイド１０５の下側は余長収納部１０６となっていて、余長収納部１０６内の中間部には、余長心線１２１が収納される際に所定の曲率半径以下、すなわち光ファイバ心線１２０の許容曲率半径（例えば、Ｒ＝３０ｍｍ）以下にならないようにリング状の余長ガイド１０７が設けられている。また、余長収納部１０６には、光ファイバ心線の飛び出しを防止するための防止フィン１０８が複数個設けられている。
【０００３】
余長収納部１０６の中央には光ファイバ心線接続部固定部１０９が設けられており、余長収納ケース１００の底板１０１に多数のヒレ１１０が平行に立設されている。このヒレ１１０とヒレ１１０との間に、接続部１２２の両側に接続されている光ファイバ余長心線１２１を嵌め込むことにより、光ファイバ心線１２０の接続部１２２が１個１個固定できるようになっている。
【０００４】
ところで、上述したような光ファイバ余長収納ケース１００に光ファイバ心線１２０の余長心線１２１を収納する際には、収納される余長心線１２１が捩れないようにするために、特殊な収納の仕方が行われている。図８（Ａ）から（Ｄ）には、例えば余長心線１２１を３ターンさせて収納する手順が示されている。
まず、図８（Ａ）に示すように、接続部１２２を１回転させて余長心線１２１をクロスした状態で捩れがないことを確認する。次に、図８（Ｂ）に示すように、各余長心線１２１をクロスさせて各々輪を３個作る。次いで、図８（Ｃ）に示すように、１番下の輪を内側に返して上の輪に重ねる。そして、図８（Ｄ）に示すように、重ねた輪をさらに返して、一番上の輪に重ねて、余長収納部１０６に収納する。
【０００５】
従って、余長心線１２１が捩れないように光ファイバ余長収納ケース１００に収納するには、上述したような特殊な巻き方で余長心線１２１を巻く必要があり、面倒であるとともに技術を要するという問題がある。
【０００６】
そこで、図９に示すように、余長心線を捻ることなく容易に収納する光ファイバ余長収納ケース１３０も提案されている（例えば特許文献１参照）。
図９に示すように、この光ファイバ余長収納ケース１３０では、光ファイバコード１３１の中間部分が収容されている箱体１３２に、操作レバー１３３と可動ガイド１３４とが光ファイバ余長収納ケース１３０の長手方向に沿って往復移動可能に設けられている。
従って、光ファイバコード１３１の余長部分１３１ａを可動ガイド１３４に引っ掛けて、操作レバー１３３を移動させることにより光ファイバコード１３１を捻れないように光ファイバ余長収納ケース１３０内部に収容することができる。
【特許文献１】特許第３３３４４０９号公報（図１）
【特許文献２】特開２００２−２５８０６５号公報（図１）
【発明の開示】
【発明が解決しようとする課題】
【０００７】
ところで、図９において示した光ファイバ余長収納ケース１３０では、光ファイバコード１３１を捻ることなく、容易に収容することができるものの、余長部分１３１ａの途中に接続部や分岐部等がある場合には、うまく収容することができないという不都合があった。
【０００８】
本発明は、前述した問題点に鑑みてなされたものであり、その目的は、余長部分に機能部品を有する光ファイバ心線を捻ることなく容易に収納することのできる光ファイバ余長収納ケースおよび光ファイバ余長の収納方法を提供することにある。
【課題を解決するための手段】
【０００９】
前述した目的を達成するために、本発明は、機能部品に接続されている光ファイバ心線の余長部を収納する光ファイバ余長収納ケースであって、前記機能部品を取付ける機能部品収納部と、前記機能部品収納部に隣接して前記余長部を収納する余長部収納部とを有し、前記余長部収納部に、前記余長部の長手方向中央部分を引っ掛ける突起を備えて回転する巻取手段が設けられていることを特徴としている。
【００１０】
このように構成された光ファイバ余長収納ケースにおいては、機能部品を機能部品収納部に取付けて、この機能部品収納部に隣接して設けられている余長部収納部に余長部を収納する。この際、余長部の長手方向中央部分を巻取手段の突起に引っ掛け、巻取手段を回転させることにより余長部を巻き取って収納するので、余長部を捻ることなく容易に且つ効率よく収納することができる。
【００１１】
また、本発明は、前記突起が２個以上設けられるとともに当該突起の外径が前記光ファイバ心線の許容曲げ半径よりも大きいことを特徴としている。
【００１２】
このように構成された光ファイバ余長収納ケースにおいては、余長部を引っ掛ける突起の外径が光ファイバ心線の許容曲げ半径よりも大きいので、余長部を巻きつける際に許容曲げ半径よりも小さく曲げられるのを防止することができる。
【００１３】
また、本発明は、機能部品に接続されている光ファイバ心線の余長部を収納する光ファイバ余長収納ケースであって、前記機能部品を収納する機能部品収納部を有するとともに、その外側に前記余長部を巻きつけて収納する余長部収納部を備えた巻取手段を回転可能に設けたことを特徴としている。
【００１４】
このように構成された光ファイバ余長収納ケースにおいては、機能部品を巻取手段に設けられている機能部品収納部に収納し、巻取手段を回転させることにより巻取手段の外周に余長部を巻きつけて収納する。このため、余長部を捻ることなく容易に収納することができる。
【００１５】
また、本発明は、前記巻取手段が円柱状であって直径方向に前記機能部品が嵌合する前記機能部品収納部が設けられていることを特徴としている。
【００１６】
このように構成された光ファイバ余長収納ケースにおいては、巻取手段の直径方向に設けられている機能部品収納部に機能部品を収納し、巻取手段を回転させることにより余長部を容易に収納することができる。
【００１７】
また、本発明は、前記巻取手段に取っ手が設けられていることを特徴としている。
【００１８】
このように構成された光ファイバ余長収納ケースにおいては、取っ手を持って巻取手段を回転させるので、容易に余長部を収納することができる。
【００１９】
また、本発明は、前記余長部収納部に、前記巻取手段により巻き取られた余長部の跳び出しを防止する光ファイバ押えが設けられていることを特徴としている。
【００２０】
このように構成された光ファイバ余長収納ケースにおいては、余長部収納部に設けられている光ファイバ押えにより、巻取手段により巻き取られた余長部の跳び出しを防止することができる。
【００２１】
また、本発明は、前記巻取手段が、逆回転を所定のトルクで防止する緩み防止手段を有することを特徴としている。
【００２２】
このように構成された光ファイバ余長収納ケースにおいては、巻取手段を回転させることにより余長部を収納した後、巻取手段をフリーにしたときに、緩み防止手段が巻取手段が逆方向に回転するのを阻止する。このため、巻取手段の逆回転による余長部の緩みを防止することができる。
【００２３】
また、本発明は、機能部品に接続されている光ファイバ心線の余長部を収納する光ファイバ余長の収納方法であって、前記機能部品を機能部品収納部に固定し、前記機能部品の一方または他方の側に接続されている前記余長部の中間を巻取手段の突起に引っ掛け、前記巻取手段を回転させて前記余長部を２重で巻き取ることを特徴としている。
【００２４】
このように構成された光ファイバ余長の収納方法においては、余長部の中央部分を巻取手段の突起に引っ掛けて、巻取手段を回転させることにより外周面に余長部を２重に巻き取るので、捻ることなく余長部を効率よく巻き取ることができる。
【００２５】
また、本発明は、機能部品に接続されている光ファイバ心線の余長部を収納する光ファイバ余長の収納方法であって、前記機能部品を円柱状の巻取手段に取付け、前記巻取手段を回転させて外周に前記余長部を巻き取って収納することを特徴としている。
【００２６】
このように構成された光ファイバ余長の収納方法においては、機能部品を機能部品収納部に取付けて、この機能部品収納部に隣接して設けられている余長部収納部に余長部を収納するので、余長部を捻ることなく容易に且つ効率よく収納することができる。
【発明の効果】
【００２７】
本発明によれば、機能部品が取付けられている光ファイバ心線を収納する際に、機能部品を機能部品収納部に収納して固定し、機能部品に接続されている余長部を巻取手段により巻き取って光ファイバ心線収納部に収納するので、機能部品を有する光ファイバ心線の余長部を捻ることなく収納することができる。また、従来のように、特殊な手法によって輪を形成することもないので、誰にでも容易に余長部を収納することができる。
【発明を実施するための最良の形態】
【００２８】
以下、本発明に係る第１実施形態を図面に基づいて詳細に説明する。図１は本発明の光ファイバ余長収納ケースに係る第１実施形態を示す斜視図、図２は図１中II方向から見た平面図である。
【００２９】
図１および図２に示すように、本発明の第１実施形態である光ファイバ余長収納ケース１０Ａでは、長円形状をしたベースプレート１１の上面に、光ファイバ心線２０に接続されている機能部品としての接続部２１を取付ける機能部品収納部３０Ａと、機能部品収納部３０Ａに隣接して光ファイバ心線２０の余長部２２を収納する余長部収納部４０とを有している。余長部収納部４０には、余長部２２の長手方向中央部分２２ａを引っ掛ける突起５１を備えて回転する巻取手段５０Ａが設けられている。
【００３０】
ベースプレート１１の外周縁に沿って、直線状の側壁１２ａ、１２ｂと、半円形状の端壁１３ａ、１３ｂが設けられており、側壁１２ａ、１２ｂと端壁１３ａ、１３ｂとの間には、光ファイバ心線２０が出入りする隙間１５が設けられている。
また、ベースプレート１１の中央部分には、機能部品収納部３０Ａが設けられている。機能部品収納部３０Ａでは、接続部２１をベースプレート１１に取付けるために、接続部２１の外側を両側から挟むための爪３１がベースプレート１１の上面に所定間隔で平行に多数植設されている。
【００３１】
巻取手段５０Ａでは、円盤５２がベースプレート１１に対して回転可能に設けられており、この円盤５２の上面には２つの突起５１が設けられている。この突起５１は円盤５２に対して固定的に取付けられていても良いし、回転可能に取付けられていても良い。突起５１の上面には、ドライバーや鉛筆のような棒状部材を差し込んで円盤５２を回すための取っ手となる凹部５１ａが設けられている。なお、突起５１は円盤５２上に少なくとも２個設けられており、突起５１の外径は、光ファイバ心線２０の許容曲げ半径（例えば７．５ｍｍ）よりも大きいものとなっている。
【００３２】
図３（Ａ）に示すように、円盤５２の下面５２ａ中心から下方に向かって回転軸５３が設けられており、ベースプレート１１には回転軸５３を回転自在に支持するための軸穴１４ａが形成されている。回転軸５３は軸方向にスリット５３ａが設けられており、回転軸５３の先端には膨出部５３ｂが設けられている。
従って、回転軸５３のスリット５３ａを狭めながら膨出部５３ｂをベースプレート１１の軸穴１４ａ押込むと、膨出部５３ｂはベースプレート１１を貫通して広がるので、円盤５２はベースプレート１１に回転可能に係止されることになる。
【００３３】
図３（Ｂ）に示すように、円盤５２の下面５２ａの外周縁部には、緩み防止手段としての山形５２ｂが全周にわたって形成されている。一方、ベースプレート１１の上面にも、軸穴１４ａを中心として円盤５２の半径と同じ半径の円で緩み防止手段としての山形１４ｂが形成されている。
従って、円盤５２をベースプレート１１に取付けると、円盤５２下面５２ａの山形５２ｂと、ベースプレート１１の山形１４ｂとが互いに噛合するので、円盤５２を回転させるには山形５２ｂと山形１４ｂとが互いに相手を乗り越えるように一定以上のトルクを与える必要がある。このため、自由回転を防止して緩み防止の役目をする。
【００３４】
図１および図２に示すように、余長部収納部４０には、巻取手段５０Ａにより巻き取られた余長部２２の上方への跳び出しを防止する光ファイバ押え４１が設けられている。光ファイバ押え４１は、ベースプレート１１の側壁１２ａ、１２ｂや端壁１３ａ、１３ｂの上端部からベースプレート１１と平行に中心に向かって張り出して設けられている。従って、光ファイバ押え４１の内側に収納された余長部２２がその弾性により延びても、余長部収納部４０から跳び出すのを防止することができる。なお、光ファイバ押え４１を、突起５１の上端部から外側へ向かって張り出させて押え部（４１ａ）を設けるようにすることもできる。
【００３５】
次に、この光ファイバ余長収納ケース１０Ａを用いた光ファイバ余長の収納方法について説明する。
まず、接続部２１をベースプレート１１上の機能部品収納部３０Ａに設けられている爪３１と爪３１の間に押込んで固定する。次に、前後の光ファイバ心線２０をベースプレート１１の側壁１２ａ、１２ｂと端壁１３ａ、１３ｂとの境界に設けられている隙間１５にチューブＣを介して入れる。そして、余長部２２の中央部分２２ａ（余長部全体の長さの中間部分）を巻取手段５０Ａの突起５１に引っ掛ける。棒状部材を突起５１の凹部５１ａに差し込んで棒状部材をまわすことにより、円盤５２を回転させて２つの突起５１の外側に余長部２２を巻き取る。なお、巻き取られた余長部２２は、余長部収納部４０に設けられている光ファイバ押え４１の内側（図１においては下側）に収納する。
【００３６】
以上のような構成となっており、この発明に係る光ファイバ余長収納ケース１０Ａおよび光ファイバ余長の収納方法によれば、余長部２２の長手方向中央部分２２ａを巻取手段５０Ａの突起５１に引っ掛け、巻取手段５０Ａを回転させることにより余長部２２を収納するので、余長部２２を捻ることなく容易に収納することができる。また、余長部２２を２重に巻き取るので、効率よく巻き取ることができる。
【００３７】
次に、本発明に係る第２実施形態を図面に基づいて詳細に説明する。図４は本発明の光ファイバ余長収納ケースに係る第２実施形態を示す斜視図、図５は図４中Ｖ方向から見た平面図、図６は巻取手段を示す斜視図である。なお、前述した第１実施形態と共通する部位には同じ符号を付して、重複する説明を省略することとする。
【００３８】
図４および図５に示すように、本発明の第２実施形態である光ファイバ余長収納ケース１０Ｂは分岐モジュールに適用されたものであり、矩形をしたベースプレート１１の上面の余長収納部４０に、１個の巻取手段５０Ｂが設けられている。図６に示すように、巻取手段５０Ｂでは、円盤５２がベースプレート１１に対して回転可能に設けられていて、この円盤５２の上には一対の突起５１が円柱状に設けられている。一対の突起５１の間には隙間が設けられており、接続部２１をはめ込む機能部品収納部３０Ｂが形成されている。また、突起５１の上面には、凹部５１ａが設けられている。なお、突起５１の端部５１ｂは光ファイバ心線２０の許容曲げ半径（例えば７．５ｍｍ）よりも大きい半径の円で隅取りされており、機能部品収納部３０Ｂに収納されている接続部２１から出てくる余長部２２が、許容曲げ半径よりも小さな半径で急激に曲げられることがないようにしている。
【００３９】
ベースプレート１１の外周縁に沿って、側壁１６が設けられており、一方（図４において右側）の側壁１６にはアダプタ１７が取付けられている。側壁１６の上部には、光ファイバ余長収納ケース１０Ｂの内側に向かって光ファイバ押え４１が張り出しており、余長部２２が上方へ跳び出さないようにしている。また、巻取手段５０Ｂの突起５１の上部にも光ファイバ押え４１が外向きに張り出して設けられており、巻き取られた余長部２２が突起５１から脱落しないようにしている。
【００４０】
次に、この光ファイバ余長収納ケース１０Ｂを用いた光ファイバ余長の収納方法について説明する。
まず、接続部２１を巻取手段５０Ｂの突起５１、５１間に設けられている機能部品収納部３０Ｂに嵌めて取付け、接続部２１に接続されている余長部２２を機能部品収納部３０Ｂに沿って突起５１の外に配線する。次に、棒状部材を突起５１の凹部５１ａに差し込んで棒状部材をまわすことにより円盤５２を回転させて、一対の突起５１、５１の外側に余長部２２を巻き取る。なお、巻き取られた余長部２２は、余長部収納部４０に設けられている光ファイバ押え４１の内側（図４においては下側）に収納する。
【００４１】
以上のように構成するので、この発明に係る光ファイバ余長収納ケース１０Ｂおよび光ファイバ余長の収納方法によれば、巻取手段５０Ｂを回転させることにより余長部２２を捻ることなく容易に収納することができる。
【００４２】
なお、本発明の光ファイバ余長収納ケースおよび光ファイバ余長の収納方法は、前述した各実施形態に限定されるものでなく、適宜な変形，改良等が可能である。
例えば、前述した各実施形態において、機能部品として接続部２１を例示したが、その他の機能部品、例えば光スプリッタ等にも適用可能である。また、光ファイバ余長収納ケース１０では全体長円形状のものを、また、光ファイバ余長収納ケース１０Ｂでは全体矩形状のものを例示したが、これに限るものではない。
【図面の簡単な説明】
【００４３】
【図１】本発明の光ファイバ余長収納ケースに係る第１実施形態を示す斜視図である。
【図２】図１中II方向から見た平面図である。
【図３】（Ａ）はベースプレートに対する巻取手段の取付部の斜視図、（Ｂ）は巻取手段の下面とベースプレートとが噛合している状態を示す説明図である。
【図４】本発明の光ファイバ余長収納ケースに係る第２実施形態を示す斜視図である。
【図５】図４中Ｖ方向から見た平面図である。
【図６】巻取手段の斜視図である。
【図７】従来の光ファイバ余長収納ケースの一例を示す断面図である。
【図８】（Ａ）から（Ｄ）は、余長心線の収納の仕方を示す説明図である。
【図９】従来の光ファイバ余長収納ケースの別の例を示す斜視図である。
【符号の説明】
【００４４】
１０  光ファイバ余長収納ケース
１４ｂ、５２ｂ  山形（緩み防止手段）
２０  光ファイバ心線
２１  接続部（機能部品）
２２  余長部
２２ａ  長手方向中央部分
３０  機能部品収納部
４０  余長部収納部
４１  光ファイバ押え
５０  巻取手段
５１  突起
５１ａ  凹部（取っ手）
【図１】
2005070578.tif 000003
【図２】
2005070578.tif 000004
【図３】
2005070578.tif 000005
【図４】
2005070578.tif 000006
【図５】
2005070578.tif 000007
【図６】
2005070578.tif 000008
【図７】
2005070578.tif 000009
【図８】
2005070578.tif 000010
【図９】
2005070578.tif 000011